(57)【要約】本発明は、シェイドまたは天幕またはブラインドまたは水泳プールカバー（４）として使用し得るよう構成され、太陽光から電流を生成する織物（１）に関するものであって、相互接続された複数の光電池（３）からなる層を具備している。本発明は、また、光電流生成織物（１）を巻き取って貯蔵するための支持体に関するものであって、この支持体は、周縁上に織物を巻取可能とされているとともに、一様な多角形横断面を有した回転対称形チューブ（５）を具備している。
2004523681.tif 000002
【特許請求の範囲】
【請求項１】
シェイドまたは天幕またはブラインドまたは水泳プールカバー（４）として使用することを意図した光電流生成織物（１）であって、
相互接続された複数の光電池からなる層を具備していることを特徴とする光電流生成織物。
【請求項２】
請求項１記載の光電流生成織物（１）において、
前記光電池層が、熱可塑性樹脂内に封入されていることを特徴とする光電流生成織物。
【請求項３】
請求項１記載の光電流生成織物（１）において、
前記光電池層が、熱可塑性フィルムによって被覆されていることを特徴とする光電流生成織物。
【請求項４】
請求項１〜３のいずれか１項に記載の光電流生成織物（１）において、
多層プラスチックシートが、前記織物の背面を被覆していることを特徴とする光電流生成織物。
【請求項５】
請求項１〜４のいずれか１項に記載の光電流生成織物（１）において、
前記複数の光電池（３）が、複数の列をなしつつ前記織物（１）上にわたって分散配置され、
隣り合う２つの前記列間の間隔が、前記織物を巻き取り得る多角形チューブ上への前記織物の巻取貯蔵の際に、前記チューブがなす前記多角形の各面に対して平行に前記光電池が維持され得るように、選択されていることを特徴とする光電流生成織物。
【請求項６】
請求項１〜５のいずれか１項に記載の光電流生成織物（１）において、
池または水泳プールのためのカバーとしての使用が意図されている場合に、
複数の横断方向バー（１３）が設けられ、
これら横断方向バー（１３）が、地面上に設置されるものであり、また、池や水泳プールの両サイドに配置された２つの脚（１４）上に設置されるものであり、これにより、太陽光に曝される一連のフラット部分が形成されるようになっていることを特徴とする光電流生成織物。
【請求項７】
請求項６記載の光電流生成織物（１）において、
前記バーを支持している前記脚（１４）が、可変高さのものであることを特徴とする光電流生成織物。
【請求項８】
シェイドまたは天幕またはブラインドまたは水泳プールカバー（４）として使用することを意図した光電流生成織物（１）を巻き取って貯蔵するための支持体であって、
周縁上に前記織物を巻取可能とされているとともに、一様な多角形横断面を有した軸対称チューブ（５）を具備していることを特徴とする光電流生成織物の巻取貯蔵支持体。
【請求項９】
請求項８記載の光電流生成織物の巻取貯蔵支持体において、
前記織物（１）が、相互接続された複数の光電池（３）からなる層を具備し、
前記複数の光電池（３）が、複数の列をなしつつ分散配置され、
前記多角形の各側面の幅が、前記複数の光電池の中の最も大きな寸法よりも大きいものとされ、
前記多角形チューブの各エッジ（６）が、前記織物の巻取および巻解きを円滑なものとし得るよう、丸められていることを特徴とする光電流生成織物の巻取貯蔵支持体。
【請求項１０】
請求項９記載の光電流生成織物の巻取貯蔵支持体において、
前記織物が、シェイドまたは天幕またはブラインドとして使用することを意図されている場合に、
前記チューブ（５）には、側方サポート（９）が設けられ、
さらに、前記織物（１）に対して張力を付与するのに適切な延長アーム（７）が設けられ、
この延長アームが、自動化されているかどうかは別として電気駆動される少なくとも１つのシリンダ（１０）の作用によって回転駆動され、これにより、前記織物が、日中の太陽経路に沿って、太陽光に対しての垂直関係を維持し得るものとされていることを特徴とする光電流生成織物の巻取貯蔵支持体。
【請求項１１】
請求項８〜１０のいずれか１項に記載の光電流生成織物の巻取貯蔵支持体において、
前記織物によって生成された電力を、例えば建物や電気器具といったような外部設備に対して伝達し得る回転電気接続部材を具備していることを特徴とする光電流生成織物の巻取貯蔵支持体。
【請求項１２】
請求項１１記載の光電流生成織物の巻取貯蔵支持体において、
前記回転電気接続部材が、２つのディスク（１６，１７）を備え、
−前記一方のディスクをなす第１ディスク（１７）が、電気絶縁性のディスクであるとともに、前記チューブ（５）に対して固定され、さらに、電気伝導性の２つの同中心的円形ブレード（２０，２１）を備え、
各ブレードが、それぞれ対応する一組をなす前記複数の光電池から突出している各電極に対して接続され、
−前記他方のディスクをなす第２ディスク（１６）が、前記サポートに対して固定されている静止ディスクであるとともに、前記チューブ（５）および前記第１ディスク（１７）に対して同軸的に取り付けられ、この第２ディスク（１６）には、前記第１ディスク（１７）に向けて突出した２つの電気コンタクト（１５）が設置され、これら電気コンタクト（１５）が、前記２つの円形ブレード（２０，２１）に対して恒久的に接触し得るものとされ、これら電気コンタクト（１５）が、前記外部設備の電気回路の２つの電力供給ワイヤに対して接続されていることを特徴とする光電流生成織物の巻取貯蔵支持体。
【請求項１３】
請求項１１記載の光電流生成織物の巻取貯蔵支持体において、
前記回転電気接続部材が、
−前記チューブ（５）の前記サポートに対して固定されこれにより静止したままとされるとともに電気絶縁性とされさらに２つの電気コンタクト（２４）を有している円筒形周縁リング（２５）であって、前記電気コンタクト（２４）が、この周縁リングを形成している壁の両面から突出しているとともに前記外部設備の電気回路の２つの電力供給ワイヤに対して接続されているような、円筒形周縁リング（２５）と；
−前記リング（２５）と同軸的であるとともに前記チューブ（５）に対して固定された絶縁性シリンダ（２２）であって、前記チューブ（５）の回転軸に対して同軸的に取り付けられているとともに、前記リング（２５）の内部において回転することができ、さらに、２つの円筒形電気伝導性ブレード（２３）が設けられていて、これらブレード（２３）が、それぞれ対応する一組をなす前記複数の光電池から突出している各電極に対して接続され、さらに、これら２つのブレードの回転軸が、シリンダ（２２）の回転軸と一致しており、その上、これらブレードが、前記リング（２５）の前記コンタクト（２４）に対して恒久的に接触することを意図されたものであるような、絶縁性シリンダ（２２）と；
を備えていることを特徴とする光電流生成織物の巻取貯蔵支持体。
【発明の詳細な説明】
【技術分野】
【０００１】
本発明は、光電流生成織物やカバーの構成に関するものである。つまり、太陽光に起因して電流を生成し得るような織物に関するものである。本発明は、また、本来的にシェイドを使用した通常の日除け部材に対して光電池からの電力の供給を組み合わせるために必要とされる設備に関するものである。
【０００２】
本発明による光生成織物は、店のウィンドウやガラス張りの壁やテラスやベランダやバルコニーや開廊といったようなもののための固定型のまたは風動型の屋外シェイドとして、また、幌馬車やキャンピングカーやトレーラーハウスやバンガローといったようなもののための天幕（幌、日除け、雨よけ、風よけ）として、さらに、池や水泳プールのためのカバーとして、使用することを意図している。
【０００３】
太陽光に対しての日除けを行うためにシェイドや類似デバイスとして織物を使用することは、周知であって、様々なものが開発されている。そのため、さらなる詳細についてここで説明する必要はない。本発明の目的は、相互接続された複数の光電池からなる層を織物中に組み込むことにより、それら織物を太陽光に曝すことによって電力を生成し、利点をもたらすことである。
【背景技術】
【０００４】
光電池層の組込を行うに際しては、様々な困難点が存在する。そのような困難点には、光電池の効果的な物理的保護の実施や、光電池どうしの相互接続や、貯蔵によって光電池が損傷するというリスクといったように、そのような光電池層を付設した織物の貯蔵に関連する問題点、がある。なお、本出願人の知る限りにおいては、本出願に関連性を有する先行技術文献は存在しない。
【発明の開示】
【課題を解決するための手段】
【０００５】
本発明においては、光電流生成カバーは、アレイを形成しつつ相互接続されさらに複数の層内に配置された複数の太陽電池を具備して構成されている。太陽電池は、アモルファスシリコンや単結晶シリコンやカドミウムテルライドや銅インジウムダイセレナイドやガリウムヒ素からなる薄膜（１０μｍを超える厚さ）から形成される。太陽電池は、例えばガラスやセラミックやスチールといったような剛直な基板上に、あるいは、例えば有機材料やポリマーといったようなフレキシブルな基板上に、配置される。この多層積層は、下側電気コンタクトとしてのモリブデン電極と、上側電気コンタクトとしての透明ジンクオキサイド電極と、を備えている。
【０００６】
光電池層は、熱可塑性樹脂内に封入される、あるいは、熱可塑性フィルムによって被覆される。この保護フィルムは、湿気から光電池を保護すること、および、紫外線に対する耐性を光電池に付与すること、さらに、電気絶縁をもたらすこと、を意図している。
【０００７】
多層プラスチックシートが、光電池層の背面を被覆することによって、貯蔵支持体上に巻回されることに基づく機械的摩耗から、光電池層を保護している。
【０００８】
したがって、本発明は、また、光電流生成織物のための支持体に関するものであって、この支持体は、周縁上に織物を巻取可能とされているとともに、一様な多角形横断面を有した軸対称チューブを具備している。ここで、複数の光電池は、複数の列をなしつつ織物上にわたって分散配置され、隣り合う２つの列間の間隔は、多角形チューブ上への織物の巻取貯蔵の際に、チューブがなす多角形の各面に対して平行に光電池が維持され得るように、選択されている。さらに、チューブを形成している多角形の各側面の幅（あるいは、長さ）は、複数の光電池に関する最大寸法よりも大きいものとされる。
【発明を実施するための最良の形態】
【０００９】
本発明の実施態様および本発明に起因する利点は、添付図面を参照しつつ、本発明を何ら限定するものではなく単なる例示としての好ましい実施形態に関する以下の詳細な説明を読むことにより、明瞭となるであろう。
【００１０】
図１〜図５は、本発明による光電流生成織物の一実施形態として、シェイド（２）を示している。したがって、このシェイド（２）は、複数の列をなすとともに互いに相互接続された複数の光電池（３）を有した光電流生成織物（１）を、備えている。シェイドのうちの、太陽光に対して露出されることを意図した面は、熱可塑性樹脂によってコーティングされている。この熱可塑性樹脂は、湿気から光電池を保護すること、および、紫外線に対する耐性を光電池に付与すること、さらに、電気絶縁をもたらすこと、を意図している。
【００１１】
当然の結果として、反対側の面は、織物が貯蔵用支持体上に巻回されることにより、機械的摩耗から織物（１）を保護することを意図した多層プラスチックシートを受領している。
【００１２】
太陽光に曝されたときには、光電流生成織物（１）は、６Ｖや１２Ｖや２４ＶといったようなＤＣ電圧を生成する。このＤＣ電圧は、局所的な電気器具に対して供給することができる、あるいは、ＡＣ電圧に変換して測定した後に、配電グリッドに対して送出することができる。光電池の効率は、露出時間に応じて、また、照射角度に応じて、変動する。太陽光が光電池（３）に対して垂直である場合に、最も効率が良い。
【００１３】
この織物は、本発明においては、特別の支持体上に貯蔵される。
【００１４】
その場合、単純なシェイドの場合には、シェイドの駆動は、織物に対する巻取シリンダの手動回転またはモータ駆動回転によって行われ、織物に対しての張力の付与は、負荷バー（８）の重量に基づいて行われる。巻き取るためのシリンダは、チューブ（５）によって形成されている。このチューブ（５）の横断面形状は、正多角形の形態とされ、図示の例においては、正六角形の形態とされている。当然のことながら、とりわけ二等辺三角形や正方形や五角形等といったような、他の任意の形状を採用することができる。
【００１５】
チューブ（５）としてどのような正多角形が使用される場合であっても、各面の幅は、光電池（３）の幅に対して、少なくとも等しいものでなければならない。さらに、光電池（３）は、規則的な複数の列でもって織物（１）上にわたって分散配置され、隣り合う２つの列の間の間隔は、光電池が存在していない中間スペースを残すように、選択される。その場合、その中間スペースによって、チューブ（５）の複数の側面をなす各構成平面どうしを分離している角度部分をカバーすることができるものとされる。チューブ（５）をなす多角形の各エッジ（６）は、織物の巻取および巻解きをより円滑なものとし得るよう、有利には、丸められている。
【００１６】
よって、光電流生成織物がチューブ（５）上に巻き取られたときには、複数の光電池（３）は、正多角形の各平面上に位置しており、回転するたびごとに、互いに積み重ねられる。これにより、割れるといったようなリスクが無く、また、折曲に基づく時期尚早の摩耗というリスクも無い。
【００１７】
延長アーム（７）と負荷バー（８）と巻取システムと織物用のサポート（９）とを備えてなる複雑なシェイドの場合には、円筒状巻取チューブは、上述したような正多角形の形態のチューブによって代替される。また、多角形チューブと延長アームとのための側方サポートに、可変傾斜システムを設けることが推奨される。これにより、光電流生成織物の効率を向上させることができる。この目的のために、小さなサイズの電気駆動される２つのシリンダ（１０）が、シェイドを支持している壁または隔壁に対して固定されたプレート（１１）に対して、固定されている。２つのシリンダ（１０）は、ヒンジ（１２）が設置されているサポート（９）に対して、協働して作用し、これにより、日中の時間帯に応じて、サポート（９）を持ち上げたりあるいは降下させたりし、その結果として、シェイドを持ち上げたりあるいは降下させたりする。それらシリンダは、有利には、時計によって制御され、太陽の日中経路や季節的経路に応じて、光電流生成織物の位置決めを自動的に行う。フランス国内においては、太陽経路の天頂角は、冬季では２３°であり、夏季では６０°である。よって、このシステムは、最適の効率を保証する。
【００１８】
開閉操作がモータ駆動される自動的傾斜システムを備えた光電流生成シェイドの場合には、動作時間が９時〜１６時となるように、開閉操作をプログラムすることができる。この時間帯は、日中の太陽エネルギーの９０％の受領を可能とする。
【００１９】
本発明による光電流生成型のシェイドや天幕やブラインドは、いくつもの利点を有している。中でも、以下の利点に言及することができる。
−従来的なシェイド機構を使用していること。これにより、新築の建物に対してもまた既存の建物に対しても、光電流生成織物を低コストで組み込むことができる。
−電気エネルギーの製造効率が、屋根内や壁内や地上に固定設置されたモジュールにおける電気エネルギー製造効率と比較して、より大きいこと。
−特に日差しからの保護および電気エネルギーの光生成という２つの機能を提供し得ること。
【００２０】
また、想定される応用によっては、以下の点に、さらに言及することができる。
−キャンピングカーや幌馬車やトレーラーハウスやバンガローのための天幕は、エネギーに関する独立性をもたらすとともに、バッテリの充電を保証する。
−店舗の外観部分上に組み込まれた光電流生成ブラインドは、付加的コストを要することなく、１日中にわたって、照明や電飾情報を店舗ウィンドウに対して供給する。
【００２１】
また、本発明による光電流生成織物は、池や水泳プールのためのカバー（４）として使用することもできる。
【００２２】
太陽経路に対しての、水泳プールや池の向きは、２つのタイプの光電流生成カバーの使用を必要とする。つまり、東西方向の露出のためのカバーと、南北方向の露出のためのカバーと、の使用を必要とする。
【００２３】
東西カバーは、カバーの表面全体にわたって複数の列をなして複数の光電池が配置されている光電流生成織物を備えている。この場合、カバーは、プール上にわたってフラットに設置されることを意図している。カバーには、プールの両サイドに関連する複数の横断方向保持バー（１３）が設けられている。これら保持バー（１３）は、カバーの下面上に配置されたすなわちプールに対向した面上に配置されたシース内へと侵入している。これにより、アセンブリ全体に剛性を付与している。
【００２４】
隣り合う２つのバー（１３）によって拘束された織物領域の中間においては、カバーを横断して延在するとともに雨水を除去し得るような、排水ラインが設けられている。周縁コードが、カバーに張力を付与しており、カバーを地面に対して固定している。
【００２５】
南北カバー（図７）は、光電流生成織物を備えている。その光電流生成織物においては、複数の光電池がなす列からなる領域どうしが、光電池無しの狭い領域によって、互いに隔離されている。光電池無しの領域との各連接箇所においては、横断方向保持バー（１９）が、地面に対して設置され、また、可変高さの２本の脚（１４）に対して設置されている。この構成により、カバー（４）を地面から数センチメートルだけ持ち上げ、その後に、カバー（４）を地面上に保持することができる。これにより、各表面をフラットなものとすることができる。表面をフラットなものとすることにより、複数の光電池によってカバーされた表面を、最適の照射角度でもって太陽光に対して曝すことができる。夏季においては、３０°という一定角度が、太陽光に対しての垂直な露出をもたらし、１００％という効率をもたらす。地面に対して固定された複数のバーに沿って配置された排水ラインにより、雨水を排水することができ、周縁コードにより、カバーに対して張力を付与することができ、地面に対してカバーを固定することができる。保持バーを、カバー下面上に配置されたシース内に侵入させることによって、アセンブリ全体に対して剛性を付与することができる。
【００２６】
カバーのタイプに無関係に、光生成機能には、断熱機能を付随させることができる。この断熱機能により、日中の間に太陽光に曝されることによってプール内の水に集積した熱を夜中にわたって保持することができる。
【００２７】
本発明による光電流生成カバーの巻取操作に際しては、例えば二等辺三角形や正方形や五角形や六角形といったような正多角形という形態の横断面を有したチューブを、使用する。使用する正多角形のタイプとは無関係に、各側面の幅は、少なくとも、織物内において使用されている光電池の幅以上のものでなければならない。よって、光電流生成織物をチューブ上に巻き取った際には、複数の光電池は、正多角形の各平面上に位置することとなり、回転するたびごとに、互いに積み重ねられる。これにより、割れるといったようなリスクが無く、また、曲げに基づく時期尚早の摩耗というリスクも無い。複数の光電池からなる複数の列は、図２に関連して上述した場合と同様に、チューブの表面どうしを隔離している角度部分のところに光電池無し中間スペースが位置するようにして、織物上に配置されている。複数の保持バー（１３，１９）は、光電流生成織物が巻き取られる際に、それぞれ取り外される。巻取操作は、手動またはモータ駆動によって行うことができ、巻取システムの全体を、移動させたり、あるいは、降下させて舗道内に組み込んだり、することができる。
【００２８】
本発明による水泳プールや池のためのカバーは、いくつもの利点を有している。中でも、以下の利点に言及することができる。
−１年中にわたって使用することができる複数の光電池を大面積で使用し得る可能性があり、居住に際してのエネルギー要求の大部分を満たすことができる。地域によっては、１１０〜１４０ｋＷ／ｙｅａｒ／ｍ２ という電力を生成することができ、その場合、温室効果ガスを一切発生させることがなく、また、何らの廃棄物をも発生させない。
−水泳プールカバーとしての通常的機能を果たすことができる。
−通常の巻取機構を使用することができる。
−新築の住居においてもまた既存の住居においても、継続可能なエネルギーを低コストで組み込むことができる。
【００２９】
光電流生成織物（１）と、この織物を接続し得る建物の電気回路と、の間の電気接続は、以下の態様で行われる。この接続は、ディスクまたはシリンダを備えてなる回転システムによって、確立される。
【００３０】
第１実施形態においては、図８に示すように、回転システムは、２つのディスク（１６，１７）を備えている。第１のディスクであって電気絶縁性のディスク（１７）は、チューブ（５）に対して固定されている。したがって、チューブ（５）に付随して回転することができる。第１ディスク（１７）は、この第１ディスク上においてこの目的のために形成された２つのグルーブ内に設置された２つの電気伝導性の同中心的円形ブレード（２０，２１）を備えている。各ブレードは、それぞれ対応する一組をなす複数の光電池から突出している各電極に対して接続されている。
【００３１】
第２ディスク（１６）は、チューブのためのサポートに対して固定されているとともに、チューブ（５）および第１ディスク（１７）に対して同軸的に取り付けられている。したがって、第２ディスク（１６）は、静止したままである。この第２ディスク（１６）には、第１ディスク（１７）に向けて突出した２つの電気コンタクト（１５）が設置されている。これら電気コンタクト（１５）は、２つの円形ブレード（２０，２１）に対して恒久的に接触し得るものとされている。これら電気コンタクト（１５）は、建物の電気回路の２つの電力供給ワイヤに対して接続される。
【００３２】
よって、織物がチューブ（５）上に巻き取られる際にまた巻き解かれる際に、チューブ（５）に対して固定された第１ディスク（１７）は、サポートに固定された静止ディスク（１６）と同じ軸回りに、追従的に回転する。この回転時においても、電気コンタクト（１５）と円形ブレード（２０，２１）との間において恒久的な電気コンタクトが形成されていることにより、電気的コンタクトが中断することは、決してない。
【００３３】
第２実施形態においては、図９に示すように、回転システムは、チューブ（５）のサポートに対して固定されているとともに電気絶縁性とされた円筒形周縁リング（２５）を備えている。したがって、このリング（２５）は、静止したままである。リング（２５）は、２つの電気コンタクト（２４）を有している。これら電気コンタクト（２４）は、この周縁リングを形成している壁の両面から突出しているとともに、建物の電気回路の２つの電力供給ワイヤに対して接続されている。
【００３４】
回転システムは、さらに、シリンダ（２２）を備えている。このシリンダ（２２）は、リング（２５）と同軸的であるとともに、チューブ（５）に対して固定されている。この絶縁性シリンダ（２２）は、チューブ（５）の回転軸に対して同様に同軸的に取り付けられている。このシリンダ（２２）は、リング（２５）の内部において回転することができる。シリンダ（２２）には、同様に、２つの円筒形電気伝導性ブレード（２３）が設けられている。これらブレード（２３）は、それぞれ対応する一組をなす複数の光電池から突出している各電極に対して接続されている。２つのブレードの回転軸は、シリンダ（２２）の回転軸と一致している。これらブレードは、リング（２５）のコンタクト（２４）に対して恒久的に接触することを意図している。
【００３５】
よって、織物がチューブ（５）上に巻き取られる際にまた巻き解かれる際に、チューブ（５）に対して固定されたシリンダ（２２）は、サポートに固定された静止リング（２５）と同じ軸回りに、追従的に回転する。この回転時においても、電気コンタクト（２４）と円筒形ブレード（２３）との間において恒久的な電気コンタクトが形成されていることにより、電気的コンタクトが中断することは、決してない。
【００３６】
光電流生成織物の水平方向に対しての向きおよび一定傾斜による通年での平均的太陽電池効率は、以下のようなものである。
【００３７】
傾斜を３０°として露出した場合には、
−東に対して：９０％、
−南東に対しておよび南西に対して：９６％、
−南に対して：１００％、
−西に対して：９３％。
【００３８】
傾斜を６０°として露出した場合には、
−東に対して：７８％、
−南東に対しておよび南西に対して：８８％、
−南に対して：９１％、
−西に対して：９３％。
【００３９】
鉛直方向として露出した場合には、
−東に対して：５５％、
−南東に対しておよび南西に対して：６６％、
−南に対して：６８％、
−西に対して：５５％。
【００４０】
フラットとして露出した場合には、９３％。
【００４１】
自動傾斜システムが付設されたシェイドおよび天幕の場合には、露出に無関係に、すなわち、東や西や南東や南西や南に無関係に、通年での平均的太陽電池効率は、１００％である。
【図面の簡単な説明】
【００４２】
【図１】本発明による織物を使用した光電流生成シェイドを概略的に示す斜視図である。
【図２】本発明による特定の貯蔵方法を概略的に示す断面図である。
【図３】そのようなシェイドの巻取のための機構を概略的に示す斜視図である。
【図４ａ】シェイドを傾斜させるための機構を概略的に示す図であって、標準的な状態を示している。
【図４ｂ】シェイドを傾斜させるための機構を概略的に示す図であって、傾斜状態を示している。
【図５】本発明による光電流生成織物を使用した水泳プールカバーを概略的に示す平面図である。
【図６】図５の水泳プールカバーを詳細に示す図である。
【図７】そのようなカバーの貯蔵方法を示す図である。
【図８】光電流生成織物と、織物が接続される設備の電気回路と、の間の電気接続の第１実施形態を示す図である。
【図９】光電流生成織物と、織物が接続される設備の電気回路と、の間の電気接続の第２実施形態を示す図である。
【符号の説明】
【００４３】
１  光電流生成織物
３  光電池
４  カバー
５  チューブ
６  エッジ
７  延長アーム
９  側方サポート
１０  シリンダ
１３  横断方向バー
１４  脚
１５  電気コンタクト
１６  第２ディスク
１７  第１ディスク
２０  円形ブレード
２１  円形ブレード
２２  絶縁性シリンダ
２３  円筒形電気伝導性ブレード
２４  電気コンタクト
２５  円筒形周縁リング
【国際公開パンフレット】
2004523681.tif 000003
2004523681.tif 000004
2004523681.tif 000005
2004523681.tif 000006
2004523681.tif 000007
2004523681.tif 000008
2004523681.tif 000009
2004523681.tif 000010
2004523681.tif 000011
2004523681.tif 000012
2004523681.tif 000013
2004523681.tif 000014
2004523681.tif 000015
2004523681.tif 000016
2004523681.tif 000017
2004523681.tif 000018
2004523681.tif 000019
【手続補正書】
【提出日】平成15年10月6日(2003.10.6)
【手続補正１】
【補正対象書類名】特許請求の範囲
【補正対象項目名】全文
【補正方法】変更
【補正の内容】
【特許請求の範囲】
【請求項１】
シェイドまたは天幕またはブラインドまたは水泳プールカバー（４）として使用することを意図したデバイスであって、
光電流生成織物（１）と、この織物を巻き取って貯蔵するための支持体と、を具備してなり、
前記支持体が、周縁上に前記織物を巻取可能とされているとともに一様な多角形横断面を有した軸対称チューブ（５）から構成され、
前記光電流生成織物（１）が、相互接続された複数の光電池（３）からなる層を具備し、
前記複数の光電池（３）が、複数の列をなしつつ前記織物（１）上にわたって分散配置され、
隣り合う２つの前記列間の間隔が、前記多角形断面チューブ上への前記織物の巻取貯蔵の際に、前記チューブがなす前記多角形の各面に対して平行に前記光電池が維持され得るように、選択されていることを特徴とするデバイス。
【請求項２】
請求項１記載のデバイスにおいて、
前記光電池層が、熱可塑性樹脂内に封入されていることを特徴とするデバイス。
【請求項３】
請求項１記載のデバイスにおいて、
前記光電池層が、熱可塑性フィルムによって被覆されていることを特徴とするデバイス。
【請求項４】
請求項１〜３のいずれか１項に記載のデバイスにおいて、
多層プラスチックシートが、前記織物の背面を被覆していることを特徴とするデバイス。
【請求項５】
請求項１〜４のいずれか１項に記載のデバイスにおいて、
池または水泳プールのためのカバーとしての使用が意図されている場合に、
前記織物（１）には、複数の横断方向バー（１３）が設けられ、
これら横断方向バー（１３）が、地面上に設置されるものであり、また、池や水泳プールの両サイドに配置された２つの脚（１４）上に設置されるものであり、これにより、太陽光に曝される一連のフラット部分が形成されるようになっていることを特徴とするデバイス。
【請求項６】
請求項５記載のデバイスにおいて、
前記バーを支持している前記脚（１４）が、可変高さのものであることを特徴とするデバイス。
【請求項７】
請求項１〜６のいずれか１項に記載のデバイスにおいて、
前記支持体を構成している前記チューブをなす前記多角形の各側面の幅が、前記複数の光電池の中の最も大きな寸法よりも大きいものとされ、
前記多角形チューブの各エッジ（６）が、前記織物の巻取および巻解きを円滑なものとし得るよう、丸められていることを特徴とするデバイス。
【請求項８】
請求項１〜７のいずれか１項に記載のデバイスにおいて、
前記チューブ（５）には、側方サポート（９）が設けられ、
さらに、前記織物（１）に対して張力を付与するのに適切な延長アーム（７）が設けられ、
この延長アームが、自動化されているかどうかは別として電気駆動される少なくとも１つのシリンダ（１０）の作用によって回転駆動され、これにより、前記織物が、日中の太陽経路に沿って、太陽光に対しての垂直関係を維持し得るものとされていることを特徴とするデバイス。
【請求項９】
請求項１〜８のいずれか１項に記載のデバイスにおいて、
前記支持体が、前記織物によって生成された電力を、例えば建物や電気器具といったような外部設備に対して伝達し得る回転電気接続部材を具備していることを特徴とするデバイス。
【請求項１０】
請求項９記載のデバイスにおいて、
前記回転電気接続部材が、２つのディスク（１６，１７）を備え、
−前記一方のディスクをなす第１ディスク（１７）が、電気絶縁性のディスクであるとともに、前記チューブ（５）に対して固定され、さらに、電気伝導性の２つの同中心的円形ブレード（２０，２１）を備え、
各ブレードが、それぞれ対応する一組をなす前記複数の光電池から突出している各電極に対して接続され、
−前記他方のディスクをなす第２ディスク（１６）が、前記サポートに対して固定されている静止ディスクであるとともに、前記チューブ（５）および前記第１ディスク（１７）に対して同軸的に取り付けられ、この第２ディスク（１６）には、前記第１ディスク（１７）に向けて突出した２つの電気コンタクト（１５）が設置され、これら電気コンタクト（１５）が、前記２つの円形ブレード（２０，２１）に対して恒久的に接触し得るものとされ、これら電気コンタクト（１５）が、前記外部設備の電気回路の２つの電力供給ワイヤに対して接続されていることを特徴とするデバイス。
【請求項１１】
請求項９記載のデバイスにおいて、
前記回転電気接続部材が、
−前記チューブ（５）の前記サポートに対して固定されこれにより静止したままとされるとともに電気絶縁性とされさらに２つの電気コンタクト（２４）を有している円筒形周縁リング（１５）であって、前記電気コンタクト（２４）が、この周縁リングを形成している壁の両面から突出しているとともに前記外部設備の電気回路の２つの電力供給ワイヤに対して接続されているような、円筒形周縁リング（１５）と；
−前記リング（２５）と同軸的であるとともに前記チューブ（５）に対して固定された絶縁性シリンダ（２２）であって、前記チューブ（５）の回転軸に対して同軸的に取り付けられているとともに、前記リング（２５）の内部において回転することができ、さらに、２つの円筒形電気伝導性ブレード（２３）が設けられていて、これらブレード（２３）が、それぞれ対応する一組をなす前記複数の光電池から突出している各電極に対して接続され、さらに、これら２つのブレードの回転軸が、シリンダ（２２）の回転軸と一致しており、その上、これらブレードが、前記リング（１５）の前記コンタクト（２４）に対して恒久的に接触することを意図されたものであるような、絶縁性シリンダ（２２）と；
を備えていることを特徴とするデバイス。
【国際調査報告】
2004523681.tif 000020
2004523681.tif 000021
2004523681.tif 000022
2004523681.tif 000023